(57)【特許請求の範囲】
【請求項１】
矩形状をなした床パネル及び該床パネルの外周面に立設された壁パネルを有する標準幅建物ユニットと、矩形状をなした床パネル及び該床パネルの外周面に立設された壁パネルを有し、その前記床パネルの短辺に沿った寸法である幅寸法が前記標準幅建物ユニットの前記床パネルの短辺に沿った寸法である幅寸法よりも小さい二つの狭幅建物ユニットとを備えるユニット建物において、
前記壁パネルは、前記標準幅建物ユニット及び前記各狭幅建物ユニットのそれぞれの前記床パネルの少なくとも互いに対向する一対の前記短辺にそれぞれ設けられており、前記各狭幅建物ユニットの幅寸法及び前記各狭幅建物ユニットの前記床パネルの長辺に沿った長手寸法はそれぞれ互いに等しく、前記各狭幅建物ユニットの幅寸法は、該各狭幅建物ユニットの幅寸法を足し合わせた合計値が前記標準幅建物ユニットの幅寸法よりも大きく且つ前記合計値から前記標準幅建物ユニットの幅寸法を差し引いた値が前記狭幅建物ユニットの幅寸法よりも小さくなるように設定されており、前記各狭幅建物ユニットは、それぞれの幅方向を前記標準幅建物ユニットの幅方向に一致させ且つ前記各狭幅建物ユニットの一対の前記壁パネルのうち同一側に位置する一方の前記壁パネルが前記標準幅建物ユニットの一対の前記壁パネルのうち一方の該壁パネルに沿うように、前記標準幅建物ユニットに隣接して該標準幅建物ユニットの幅方向に沿って配列されており、これにより、一方の前記狭幅建物ユニットの前記床パネルの互いに対向する一対の前記長辺のうち隣接する他方の前記狭幅建物ユニット側に位置する前記長辺と反対側に位置する前記長辺が前記標準幅建物ユニットの前記床パネルの互いに対向する一対の長辺のうち一方の該長辺と同一線上におかれるように前記各狭幅建物ユニットが配置された状態で、前記他方の狭幅建物ユニットの一部が前記標準幅建物ユニットの他方の前記長辺から前記狭幅建物ユニットの幅寸法よりも小さい大きさの突出量で突出する突出部を形成してなることを特徴とするユニット建物。
【請求項２】
前記標準幅建物ユニットの一側に沿って設置される前記各狭幅建物ユニットによりサニタリー室を形成してなる請求項１記載のユニット建物。
【請求項３】
前記標準幅建物ユニットの一側に沿って設置される前記各狭幅建物ユニットにより階段室を形成してなる請求項１記載のユニット建物。
【発明の詳細な説明】
【０００１】
【発明の属する技術分野】
本発明はユニット建物に関する。
【０００２】
【従来の技術】
ユニット建物は、工場生産された複数の建物ユニットを現地に輸送し、それら複数の建物ユニットを隣接設置して構築される。このとき、建物ユニットとしては、工場生産性、輸送制限に鑑み、幅寸法を2.2 〜2.5 ｍとする標準幅建物ユニットを用意してある他、敷地の有効利用を図るために幅寸法を1.3 〜1.5 ｍとする狭幅建物ユニットを用意してある。
【０００３】
然るに、従来技術では、ユニット建物の間取りの自由度を高め、広く使い勝手の良い空間を形成可能とするため、特開平5-140995号公報に記載の如く、建物ユニットの外形を狭幅建物ユニットより更に幅の狭い異形状としてなる異形建物ユニットも用いられている。
【０００４】
【発明が解決しようとする課題】
然しながら、従来技術では、標準幅建物ユニットや狭幅建物ユニット以外に、それらとは更に外形の異なる異形建物ユニットも用意する必要があり、部品の種類が増加して生産性が悪い。また、狭幅建物ユニットに比して更に極端に狭幅の異形建物ユニットについては生産、輸送、施工段階での安定性も悪い。
【０００５】
本発明の課題は、ユニット建物において、建物ユニットの品種を増やすことなく、敷地への対応性、間取りの自由度を向上することにある。
【０００６】
【課題を解決するための手段】
請求項１に記載の本発明は、矩形状をなした床パネル及び該床パネルの外周面に立設された壁パネルを有する標準幅建物ユニットと、矩形状をなした床パネル及び該床パネルの外周面に立設された壁パネルを有し、その前記床パネルの短辺に沿った寸法である幅寸法が前記標準幅建物ユニットの前記床パネルの短辺に沿った寸法である幅寸法よりも小さい二つの狭幅建物ユニットとを備えるユニット建物において、前記壁パネルは、前記標準幅建物ユニット及び前記各狭幅建物ユニットのそれぞれの前記床パネルの少なくとも互いに対向する一対の前記短辺にそれぞれ設けられており、前記各狭幅建物ユニットの幅寸法及び前記各狭幅建物ユニットの前記床パネルの長辺に沿った長手寸法はそれぞれ互いに等しく、前記各狭幅建物ユニットの幅寸法は、該各狭幅建物ユニットの幅寸法を足し合わせた合計値が前記標準幅建物ユニットの幅寸法よりも大きく且つ前記合計値から前記標準幅建物ユニットの幅寸法を差し引いた値が前記狭幅建物ユニットの幅寸法よりも小さくなるように設定されており、前記各狭幅建物ユニットは、それぞれの幅方向を前記標準幅建物ユニットの幅方向に一致させ且つ前記各狭幅建物ユニットの一対の前記壁パネルのうち同一側に位置する一方の前記壁パネルが前記標準幅建物ユニットの一対の前記壁パネルのうち一方の該壁パネルに沿うように、前記標準幅建物ユニットに隣接して該標準幅建物ユニットの幅方向に沿って配列されており、これにより、一方の前記狭幅建物ユニットの前記床パネルの互いに対向する一対の前記長辺のうち隣接する他方の前記狭幅建物ユニット側に位置する前記長辺と反対側に位置する前記長辺が前記標準幅建物ユニットの前記床パネルの互いに対向する一対の長辺のうち一方の該長辺と同一線上におかれるように前記各狭幅建物ユニットが配置された状態で、前記他方の狭幅建物ユニットの一部が前記標準幅建物ユニットの他方の前記長辺から前記狭幅建物ユニットの幅寸法よりも小さい大きさの突出量で突出する突出部を形成してなるようにしたものである。
【０００９】
請求項２に記載の本発明は、請求項１に記載の本発明において更に、前記標準幅建物ユニットの一側に沿って設置される前記各狭幅建物ユニットによりサニタリー室を形成してなるようにしたものである。
【００１０】
請求項３に記載の本発明は、請求項１に記載の本発明において更に、前記標準幅建物ユニットの一側に沿って設置される前記各狭幅建物ユニットにより階段室を形成してなるようにしたものである。
【００１１】
【作用】
請求項１の本発明によれば下記（１）、（２）の作用がある。
（１）標準幅建物ユニットに狭幅建物ユニットを併用することにより、敷地への対応性を向上できる。また、二つの狭幅建物ユニットの幅方向と平行な側面を標準幅建物ユニットの幅方向と平行な側面に沿わせて設置することにより、狭幅建物ユニットが単体で構成する幅寸法よりも小幅の突出部を形成でき、狭幅建物ユニットより小幅な異形建物ユニットを用いることなく間取りの自由度を向上できる。
【００１２】
（２）上記（１）により、敷地への対応性、間取りの自由度を向上するのに、標準幅建物ユニットや狭幅建物ユニット以外に異形建物ユニットを用意する必要がなく、生産性を向上できる。また、狭幅建物ユニットより小幅の突出部を形成するのに、極端に小幅の異形建物ユニットを用いる必要がなく、生産、輸送、施工段階でのユニットの取扱性を向上できる。
【００１４】
請求項２の本発明によれば下記（３）の作用がある。
（３）標準幅建物ユニットの一側に沿って設置される各狭幅建物ユニットにより浴室、
洗面室、トイレ室等のサニタリー室を形成することにより、このサニタリー室を拡張し、要介助者、介助者、車椅子での出入り等に必要な空間を確保でき、使い勝手を向上できる。
【００１５】
請求項３の本発明によれば下記（４）の作用がある。
（４）標準幅建物ユニットの一側に沿って設置される各狭幅建物ユニットにより階段室を形成することにより、階段室を拡張し、階段を緩勾配にできる。
【００１６】
【発明の実施の形態】
図１はユニット建物の一例を示し、（Ａ）は斜視図、（Ｂ）は 1階平面図、（Ｃ）は 2階平面図、図２は建物ユニットを示し、（Ａ）は 3面壁標準幅建物ユニットを示す平面図、（Ｂ）は 2面壁標準幅建物ユニットを示す平面図、（Ｃ）は 3面壁狭幅建物ユニットを示す平面図、（Ｄ）は 2面壁狭幅建物ユニットを示す平面図、図３はサニタリー室を備えたユニット建物を示す平面図、図４は階段室を備えたユニット建物を示す平面図である。
【００１７】
（第１実施形態）（図１、図２）
本発明のユニット建物１を構成する建物ユニット１０は、基本的に、床パネル１１の外周面に壁パネル１２を立設して構成されたものである。そして、建物ユニット１０としては、図２に示す如く、(A) 床パネル１１の 3面に壁パネル１２を備え、幅寸法を標準寸法Ａ（2275mm）とする 3面壁標準幅建物ユニット１０Ａ（図２（Ａ））、(B) 床パネル１１の相対する 2面に壁パネル１２を備え、幅寸法を標準寸法Ａ（2275mm）とする 2面壁標準幅建物ユニット１０Ｂ（図２（Ｂ））等の標準幅建物ユニットと、(C) 床パネル１１の 3面に壁パネル１２を備え、幅寸法を狭幅寸法Ｂ（1365mm）とする 3面壁狭幅建物ユニット１０Ｃ（図２（Ｂ））、(D) 床パネル１１の相対する 2面に壁パネル１２を備え、幅寸法を狭幅寸法Ｂ（1365mm）とする 2面壁狭幅建物ユニット１０Ｄ（図２（Ｄ））等の狭幅建物ユニットを採用できる。
【００１８】
尚、標準幅建物ユニット１０Ａ、１０Ｂ、狭幅建物ユニット１０Ｃ、１０Ｄのいずれも、それらの幅寸法に直交する長さ寸法としては、例えば3776mm、4686mm、5642mmのいずれかを選択的に採用し、それらの高さ寸法としては、例えば2598mmを採用できる。
【００１９】
然るに、図１は、ユニット建物１の一部であり、 1階部分を 2つの標準幅建物ユニット１０Ａ、１０Ａとそれらに挟まれる狭幅建物ユニット１０Ｃ、１０Ｄとにより構成し、この 1階部分の上の 2階部分を 3個の標準幅建物ユニット１０Ａにより構成している。
【００２０】
このとき、 1階部分では、標準幅建物ユニット１０Ａの幅方向と平行な側面（一方の標準幅建物ユニット１０Ａの左側且つ他方の標準幅建物ユニット１０Ａの右側）に 2つの狭幅建物ユニット１０Ｃ、１０Ｄの幅方向と平行な側面を沿わせて設置し、それら狭幅建物ユニット１０Ｃ、１０Ｄのうちの最も前にある一つの狭幅建物ユニット１０Ｃの一部により突出部２１を形成している。突出部２１は、標準幅建物ユニット１０Ａの前面より前方に突出し、その前面に対する突出寸法Ｌは、狭幅建物ユニット１０Ｃと狭幅建物ユニット１０Ｄの据付間隙Ｃ＝20mmとするとき、 2Ｂ＋Ｃ−Ａ＝475mm である。本実施形態では、この突出部２１の突出寸法Ｌを、狭幅建物ユニット１０Ｃ、１０Ｄが単体で構成する幅寸法Ｂ（1365mm）よりも小幅の1000mm以下にできるものである。
【００２１】
尚、ユニット建物１の 1階部分において、 2つの狭幅建物ユニット１０Ｃ、１０Ｄは、突出部２１の存在により、標準よりも広い居室２２を形成し、狭幅建物ユニット１０Ｃにおける突出部２１の天井部に天窓付屋根パネル２３を設けている。
【００２２】
従って、第１実施形態のユニット建物１にあっては、以下の作用がある。
▲１▼標準幅建物ユニット１０Ａ、１０Ｂに狭幅建物ユニット１０Ｃ、１０Ｄを併用することにより、敷地への対応性を向上できる。また、複数の狭幅建物ユニット１０Ｃ、１０Ｄの幅方向と平行な側面を標準幅建物ユニット１０Ａ、１０Ｂの幅方向と平行な側面に沿わせて設置することにより、狭幅建物ユニット１０Ｃ、１０Ｄが単体で構成する幅寸法よりも小幅の突出部２１を形成でき、狭幅建物ユニット１０Ｃ、１０Ｄより小幅の異形建物ユニットを用いることなく間取りの自由度を向上できる。
【００２３】
▲２▼上記▲１▼により、敷地への対応性、間取りの自由度を向上するのに、標準幅建物ユニット１０Ａ、１０Ｂや狭幅建物ユニット１０Ｃ、１０Ｄ以外に異形建物ユニットを用意する必要がなく、生産性を向上できる。また、狭幅建物ユニット１０Ｃ、１０Ｄより小幅の突出部２１を形成するのに、極端に小幅の異形建物ユニットを用いる必要がなく、生産、輸送、施工段階でのユニットの取扱性を向上できる。
【００２４】
▲３▼複数の狭幅建物ユニット１０Ｃ、１０Ｄを標準幅建物ユニット１０Ａ、１０Ｂの一側に沿わせて設置することにより、狭幅建物ユニット１０Ｃ、１０Ｄが単体で構成する幅寸法（例えば1365mm）よりも小幅突出寸法である1000mm以下の突出部２１を簡易に形成できる。
【００２５】
（第２実施形態）（図３）
図３のユニット建物１Ａは、第１実施形態におけると同様に、 1階部分を 2つの標準幅建物ユニット１０Ａ、１０Ａとそれらに挟まれる狭幅建物ユニット１０Ｃ、１０Ｄとにより構成し、この 1階部分の上の 2階部分を 3個の標準幅建物ユニット１０Ａにより構成している。そして、 1階部分で、標準幅建物ユニット１０Ａの幅方向と平行な側面に沿って設置された 2つの狭幅建物ユニット１０Ｃ、１０Ｄのうちの最も前にある一つの狭幅建物ユニット１０Ｃの一部により突出部２１を構成し、この 2つの狭幅建物ユニット１０Ｃ、１０Ｄにより標準よりも広いサニタリー室３１を形成した。
【００２６】
即ち、第２実施形態のユニット建物１Ａにあっては、標準幅建物ユニット１０Ａの一側に沿って設置される複数の狭幅建物ユニット１０Ｃ、１０Ｄにより浴室、洗面室、トイレ室等のサニタリー室３１を形成することにより、このサニタリー室３１を拡張し、要介助者、介助者、車椅子での出入り等に必要な空間を確保でき、使い勝手を向上できる。
【００２７】
（第３実施形態）（図４）
図４のユニット建物１Ｂは、 1階部分を 2つの標準幅建物ユニット１０Ａ、１０Ａとそれらに挟まれる狭幅建物ユニット１０Ｃ、１０Ｄとにより構成し、この 1階部分の上の 2階部分も 2つの標準幅建物ユニット１０Ａ、１０Ａとそれらに挟まれる狭幅建物ユニット１０Ｃ、１０Ｄとにより構成した。そして、 1階部分と 2階部分のそれぞれで、標準幅建物ユニット１０Ａの幅方向と平行な側面に沿って設置された 2つの狭幅建物ユニット１０Ｃ、１０Ｄのうちの最も前にある一つの狭幅建物ユニット１０Ｃの一部により突出部２１を構成し、 1階部分の 2つの狭幅建物ユニット１０Ｃ、１０Ｄと 2階部分の 2つの狭幅建物ユニット１０Ｃ、１０Ｄとに渡る広い吹抜け状の階段室４１を形成した。
【００２８】
即ち、第３実施形態のユニット建物１Ｂにあっては、標準幅建物ユニット１０Ａの一側に沿って設置される複数の狭幅建物ユニット１０Ｃ、１０Ｄにより階段室４１を形成することにより、階段室４１を拡張し、階段を緩勾配にできる。
【００２９】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の実施において、標準幅建物ユニットの一側に沿って設置される狭幅建物ユニットは 2つに限らず、 3つ以上であっても良い。
【００３０】
【発明の効果】
以上のように本発明によれば、ユニット建物において、建物ユニットの品種を増やすことなく、敷地への対応性、間取りの自由度を向上することができる。
【図面の簡単な説明】
【図１】図１はユニット建物の一例を示し、（Ａ）は斜視図、（Ｂ）は 1階平面図、（Ｃ）は 2階平面図である。
【図２】図２は建物ユニットを示し、（Ａ）は 3面壁標準幅建物ユニットを示す平面図、（Ｂ）は 2面壁標準幅建物ユニットを示す平面図、（Ｃ）は 3面壁狭幅建物ユニットを示す平面図、（Ｄ）は 2面壁狭幅建物ユニットを示す平面図である。
【図３】図３はサニタリー室を備えたユニット建物を示す平面図である。
【図４】図４は階段室を備えたユニット建物を示す平面図である。
【符号の説明】
１、１Ａ、１Ｂ  ユニット建物
１０Ａ、１０Ｂ  標準幅建物ユニット
１０Ｃ、１０Ｄ  狭幅建物ユニット
２１  突出部
３１  サニタリー室
４１  階段室
【図１】
0003999895.tif 000002
【図２】
0003999895.tif 000003
【図３】
0003999895.tif 000004
【図４】
0003999895.tif 000005